(57)【要約】【課題】本発明は、所定の印刷情報が形成され、所定の印刷媒体に当該印刷情報を印刷する印刷用版および印刷装置に関し、版交換を容易とし、低コスト化を図ることを目的とする。【解決手段】印刷用版１１が可撓性部材によりシームレスの筒形状に形成されるものであり、印刷装置において当該印刷用版１１を版胴１２、回転胴１３，１４に回転自在に懸架し、当該回転胴１３，１４を移動させて当該印刷用版１１の張りを調整させ、これを回転させることで当該印刷用版１１により印刷媒体１６に印刷を行わせる構成とする。【選択図】　図１
2004090399.tif 000002
【特許請求の範囲】
【請求項１】
所定の印刷方式における印刷情報が画線部と非画線部で形成される印刷用版であって、
不伸縮の可撓性部材によりシームレスの筒形状で形成されることを特徴とする印刷用版。
【請求項２】
所定の印刷媒体と当接して印刷を行う請求項１記載の印刷用版と、
所定の回転駆動手段により回転自在であり、前記印刷用版が懸架されて前記印刷媒体と当接させる版胴と、
前記印刷用版を前記版胴とにより懸架して回転自在とさせるもので、当該印刷用版の張りを調整する所定数の張り調整手段と、
前記印刷用版に対して所定の駆動手段により当接または離隔され、当該印刷用版に印刷インキを付着させるインキ供給手段と、
を有することを特徴とする印刷装置。
【請求項３】
請求項２記載の印刷装置であって、前記印刷媒体に当接するものであり、前記版胴に懸架された前記印刷用版と当接する移動自在なブランケット胴を備えることを特徴とする印刷装置。
【請求項４】
請求項２または３記載の印刷装置であって、前記版胴または前記ブランケット胴と対峙し、当該版胴またはブランケット胴に前記印刷用版および前記印刷媒体を介して所定圧力を加えるもので、当該版胴と離隔自在な圧胴を備えることを特徴とする印刷装置。
【発明の詳細な説明】
【０００１】
【発明の属する技術分野】
本発明は、所定の印刷情報が形成され、所定の印刷媒体に当該印刷情報を印刷する印刷用版および印刷装置に関する。
【０００２】
【従来の技術】
近年、印刷情報を印刷する場合の印刷方式は種々あり、印刷用版を使用することが多い。印刷用版を使用する印刷装置においては、印刷媒体の大きさや印刷情報の多さに応じて印刷用版が用意され、適宜取り替えられて印刷が行われるのが一般的である。このような印刷用版の取り替えが必要な印刷装置では、当該印刷用版の取り替え作業の簡易化が望まれている。
【０００３】
そこで、図５に、従来の印刷装置で使用される印刷用版の説明図を示す。図５（Ａ）に示す印刷装置１０１は、種々ある印刷方式のうち、一例としてフレキソ印刷を行うものとして示してあり、版胴１０２に印刷用版１０３が取り付けられたものが使用される。また、インキファウンテンに印刷インキ１０４が満たされており、それぞれ当接するファウンテンローラ１０５、アニロックスローラ１０６により版胴１０２に取り付けられた印刷用版１０３に当該印刷インキ１０４が供給される。
【０００４】
一方、版胴１０２（印刷用版１０３）には圧胴１０７が所定圧力で当接されもので、当該版胴１０２（印刷用版１０３）と圧胴１０７との間に印刷媒体１０８が搬送されて当該印刷用版１０３と当接することにより、当該印刷媒体１０８に印刷用版１０３に形成された印刷情報が印刷されるものである。
【０００５】
上記版胴１０２は、図５（Ｂ）に示すように、版取付溝１０２Ａが形成され、一方で印刷用版１０３には版のくわえ代１０３Ａ，１０３Ｂが形成されており、当該版胴１０２の版取付溝１０２Ａに版のくわえ代１０３Ａ，１０３Ｂを嵌合して固定することにより当該印刷用版１０３が取り付けられるものである。そして、大きさの異なる印刷用版１０３に取り替える場合には、当該版胴１０２を装置より取り外し、取り替え対象の印刷用版１０３がその大きさに応じて固定された版胴１０２を、当該装置に取り付けることによって行っている。
【０００６】
【発明が解決しようとする課題】
しかしながら、印刷装置１０１からの版胴１０２の交換は、対応の印刷用版１０３が取り付けられた版胴１０２をそれぞれ用意しなくてはならず、無駄が多くコスト高を招くという問題があると共に、当該版胴１０２自体が重く取り替え作業が容易ではないという問題がある。さらに、版のくわえ代１０３Ａ，１０３Ｂが必要であるため、この部分を印刷に使用することができないという不都合も生じている。
【０００７】
そこで、本発明は上記課題に鑑みなされたもので、版交換を容易とし、低コスト化を図ると共に、版全体を印刷に使用できる、印刷用版および印刷装置を提供することを目的とする。
【０００８】
【課題を解決するための手段】
上記課題を解決するために、請求項１の発明では、所定の印刷方式における印刷情報が画線部と非画線部で形成される印刷用版であって、不伸縮の可撓性部材によりシームレスの筒形状で形成される構成とする。
【０００９】
請求項２の発明では、所定の印刷媒体と当接して印刷を行う請求項１記載の印刷用版と、所定の回転駆動手段により回転自在であり、前記印刷用版が懸架されて前記印刷媒体と当接させる版胴と、前記印刷用版を前記版胴とにより懸架して回転自在とさせるもので、当該印刷用版の張りを調整する所定数の張り調整手段と、前記印刷用版に対して所定の駆動手段により当接または離隔され、当該印刷用版に印刷インキを付着させるインキ供給手段と、を有する構成とする。
【００１０】
請求項３、４の発明では、「前記印刷媒体に当接するものであり、前記版胴に懸架された前記印刷用版と当接する移動自在なブランケット胴を備える」構成であり、
「前記版胴または前記ブランケット胴と対峙し、当該版胴またはブランケット胴に前記印刷用版および前記印刷媒体を介して所定圧力を加えるもので、当該版胴と離隔自在な圧胴を備える」構成である。
【００１１】
このように、印刷用版が可撓性部材によりシームレスの筒形状に形成され、印刷装置において当該印刷用版が版胴、張り調整手段に懸架され、当該張り調整手段で張りが調整されて回転させることで印刷媒体に印刷を行う。すなわち、印刷用版を交換するにあたって、当該可撓性の印刷用版を所定数用意し、版胴を交換せずに印刷用版のみを交換すればよく、版交換を容易とすることが可能となると共に、印刷用版のみを所定数用意すればよいことから、低コスト化を図ることが可能となるものである。
【００１２】
【発明の実施の形態】
以下、本発明の好ましい実施形態を図により説明する。本実施形態では、種々ある印刷方式のうち、一例としてフレキソ印刷、オフセット印刷を示して説明するが、グラビア印刷、凸版印刷等のおよそ版胴を使用する印刷形式に適用することができるものである。
【００１３】
図１に、本発明に係る印刷用版の構成図を示す。図１（Ａ）は本発明に係る印刷用版の概略図、図１（Ｂ）は当該印刷用版が使用される印刷装置における版部分の概念図である。図１（Ａ）に示すように、印刷用版１１は、不伸縮の可撓性部材によりシームレスの筒形状で形成される。形成部材の一例としては感光性樹脂があり、当該感光性樹脂としては例えば感光性高分子の他、反応性ポリマ、光重合開始剤などを含む複合材料で、光によって光重合を起こし、高分子量のプラスチック状の樹脂となって硬化するものなどがある。印刷用の版は、元々印刷情報が画線部と非画線部とにより形成されるもので、これら印刷情報の焼き付け等による形成は従前の方法で行うことができる。
【００１４】
そして、図１（Ｂ）に示すように、図１（Ａ）の印刷用版１１は、版胴１２および２つの回転胴１３，１４に懸架される。この回転胴１３，１４は、移動自在であって、所定の方向に移動させることで懸架された印刷用版１１を適度な張力とする。この回転胴１３，１４およびこれらを移動させる後述の可動手段により張り調整手段を構成する。
【００１５】
また、圧胴１５が、版胴１２と対峙して設けられ、上記印刷用版１１が懸架された当該圧胴１５（印刷用版１１）に所定圧力を加える。すなわち、版胴１２に懸架された印刷用版１１と圧胴１５との当接部分に用紙、フィルム等の印刷媒体１６が搬送されることにより、印刷用版１１に形成された印刷情報が当該印刷媒体１６に印刷されるものである。この場合、上記圧胴１５は、版交換時に版胴１２および回転胴１３，１４に懸架させ易くするために、当該版胴１２に対して離隔自在に設けられる。例えば、一方端を支点として固定させ、他方端を上下動自在として版胴１２（印刷用版１１）に当接したときにバネ等の付勢手段で所定圧力を加えるようにすることができる。なお、印刷媒体１６が、印刷用版１１に対して所望の圧力で当接させることとすれば、当該圧胴１５を省略することができる。
【００１６】
そこで、図２に、本発明に係る印刷用版が使用される第１実施形態の印刷装置の概念図を示す。図２（Ａ）に示す印刷装置は、例えばフレキソ印刷装置として示している。図２（Ａ）において、版胴１２は、例えば版胴回転モータ２１の回転軸に取り付けられて回転自在とされている。また、上記回転胴１３，１４の回転軸（図示せず）には支持部材１３Ａ，１４Ｂが設けられ、これらが回転胴回転モータ２２，２３と係合されることで当該回転胴１３，１４を水平方向に移動自在としている。
【００１７】
一方、インキファウンテンに満たされた印刷インキ２４に対してファウンテンローラ２５、アニロックスローラ２６、加圧ローラ２７およびこれらを例えば水平方向に移動させる図示しない可動手段によりインキ供給手段が構成されて配置される。すなわち、加圧ローラ２７は印刷用版１１が懸架されたときにその内側に移動自在（例えば水平方向）に配置され、当該印刷用版１１の外側にインキファウンテン（印刷インキ２４）、ファウンテンローラ２５およびアニロックスローラ２６が移動自在（例えば水平方向）に配置される。なお、ファウンテンローラ２５およびアニロックスローラ２６のみを移動自在としてもよい。
【００１８】
このような印刷装置は、図２（Ａ）に示すように、印刷用版１１を懸架させやすいように、圧胴１５が版胴１２に対して離隔位置とされると共に、回転胴１３，１４が、回転胴回転モータ２２，２３により適宜内側部分に位置され、また加圧ローラ２７とインキファウンテン（印刷インキ２４）、ファウンテンローラ２５およびアニロックスローラ２６とが離隔状態の配置とされる。すなわち、この状態で版胴１２および回転胴１３，１４との間で印刷用版１１が緩んだ状態で懸架される。
【００１９】
そこで、図２（Ｂ）に示すように、回転胴回転モータ２２，２３を回転させて回転胴１３，１４を外側に水平移動させることにより、当該版胴１２および回転胴１３，１４間で印刷用版１１を適度な張力で懸架させる。この場合の印刷用版１１の張力は、例えば回転胴回転モータ２２，２３を予め定めたトルク値でトルク制御することにより調整することができる。
【００２０】
印刷用版１１が適度な張力で懸架されると、圧胴１５を版胴１２（印刷用版１１）と所定圧力で当接させ、また加圧ローラ２７を移動して印刷用版１１の内側に当接させ、さらにインキファウンテン（印刷インキ２４）、ファウンテンローラ２５およびアニロックスローラ２６を移動させて当該アニロックスローラ２６を印刷用版１１に当接させる。そして、印刷インキ２４を印刷用版１１に供給し、版胴１２（印刷用版１１）と圧胴１５との間に印刷媒体１６を搬送させることにより、当該印刷用版１１の印刷情報を印刷媒体１６に印刷させるものである。
【００２１】
一方、印刷媒体１６の大きさや、印刷情報の多寡に応じて所定数の印刷用版１１を用意しておき、版交換時には図２（Ａ）に示す状態で対応の印刷用版１１を取り替えることにより行う。すなわち、回転胴１３，１４が移動可能であることから、印刷用版１１の大きさによらず懸架することができるもので、版胴１２の交換を要しないことから版交換を容易とすることができ、また印刷用版１１のみを所定数用意すればよいことから、低コスト化を実現することができるものである。
【００２２】
なお、上記印刷装置では、印刷用版１１を適度な張力で懸架させる場合として２つの回転胴１３，１４を備える場合を示したが、これ以上の回転胴を配置しても同様であり、また移動方向も水平方向に限らず、例えば上下方向、斜め方向でもよい。このことは、次の図３に示す印刷装置においても同様である。
【００２３】
続いて、図３に、本発明に係る印刷用版が使用される印刷装置における他の例の概念図を示す。図３（Ａ）、（Ｂ）に示す印刷装置は、例えばオフセット印刷装置として示している。この印刷装置は、図３（Ａ）に示すように、版胴１２（印刷用版１１）と圧胴１５との間にブランケット胴２８が設けられたもので、当該ブランケット胴２８と圧胴１５との間に印刷媒体１６が搬送される。他の構成は図２と同様であり、説明を省略する。
【００２４】
すなわち、上記ブランケット胴２８は、印刷用版１１より印刷情報が転写され、これを当接された印刷媒体１６に対して印刷を行うものである。この場合、圧胴１５およびブランケット胴２８は、印刷用版１１が版胴１２および回転胴１３，１４に懸架され易いように、当該版胴１２より離隔自在（可動手段は省略する）に設けられるものである。
【００２５】
このように、ブランケット胴２８を使用するようなオフセット印刷装置においても、上記同様に、可撓性の印刷用版１１を所定数用意しておき、版交換するにあたって、版胴１２を交換せずに印刷用版１１のみを交換することによって、版交換を容易とすることができると共に、印刷用版１２のみを所定数用意すればよいことから、種々の版を必要とする印刷装置の低コスト化を図ることができるものである。なお、このことは以下の第２実施形態においても同様である。
【００２６】
次に、図４に、本発明に係る印刷用版が使用される第２実施形態の印刷装置の概念図を示す。図４（Ａ）、（Ｂ）に示す印刷装置は、張り調整手段として単一の回転胴３１を例えば上下方向に移動可能に設けたもので、他の構成は図２と同様であり説明を省略する。すなわち、回転胴３１は、回転胴回転モータ３２の回転軸に設けられた支持部材３３に取り付けられ、当該回転胴回転モータ３２が例えばトルク制御により回転することで上下動される。
【００２７】
このような印刷装置は、図４（Ａ）に示すように、印刷用版１１を懸架させ易いように、圧胴１５が版胴１２に対して離隔位置とされると共に、回転胴３１が、回転胴回転モータ３２により適宜内側部分に位置され、また加圧ローラ２７とインキファウンテン（印刷インキ２４）、ファウンテンローラ２５およびアニロックスローラ２６とが離隔状態の配置とされる。この状態で版胴１２と回転胴３１との間で印刷用版１１が緩んだ状態で懸架される。
【００２８】
そこで、図４（Ｂ）に示すように、回転胴回転モータ３２を例えばトルク制御で回転させて回転胴３１を上方に移動させることにより、当該版胴１２と回転胴３１間で印刷用版１１を適度な張力で懸架させる。当該印刷用版１１が適度な張力で懸架されると、圧胴１５を版胴１２（印刷用版１１）に所定圧力で当接させ、また加圧ローラ２７を移動して印刷用版１１に当接させ、さらにインキファウンテン（印刷インキ２４）、ファウンテンローラ２５およびアニロックスローラ２６を移動させて当該アニロックスローラ２６を印刷用版１１に当接させる。
【００２９】
この状態で、印刷インキ２４を印刷用版１１に供給し、版胴１２（印刷用版１１）と圧胴１５との間に印刷媒体１６を搬送させることにより、当該印刷用版１１の印刷情報を印刷媒体１６に印刷させるものである。そして、印刷媒体１６の大きさや、印刷情報の多寡に応じて所定数の印刷用版１１を用意しておき、版交換を、図４（Ａ）に示す状態で対応の印刷用版１１を取り替えることにより行うものである。
【００３０】
このように単一の回転胴３１のみを設けることによっても、上記同様に、当該回転胴３１が移動可能であることから、印刷用版１１の大きさによらずセットすることができるもので、版胴１２の交換を要しないことから版交換を容易とすることができ、また印刷用版１１のみを所定数用意すればよいことから、低コスト化を実現することができるものである。
【００３１】
【発明の効果】
以上のように、本発明によれば、印刷用版が可撓性部材によりシームレスの筒形状に形成され、印刷装置において当該印刷用版が版胴、張り調整手段に懸架され、当該張り調整手段で張りが調整されて回転させることで印刷媒体に印刷を行わせることにより、版交換が容易となり、低コスト化できると共に、版全体を印刷に使用できるなどといった効果を奏するものである。
【図面の簡単な説明】
【図１】本発明に係る印刷用版の構成図である。
【図２】本発明に係る印刷用版が使用される第１実施形態の印刷装置の概念図である。
【図３】本発明に係る印刷用版が使用される印刷装置のおける他の例の概念図である。
【図４】本発明に係る印刷用版が使用される第２実施形態の印刷装置の概念図である。
【図５】従来の印刷装置で使用される印刷用版の説明図である。
【符号の説明】
１１　　　　　　　印刷用版
１２　　　　　　　版胴
１３，１４，３１　回転胴
１５　　　　　　　圧胴
１６　　　　　　　印刷媒体
２４　　　　　　　印刷インキ
２８　　　　　　　ブランケット胴
【図１】
2004090399.tif 000003
【図２】
2004090399.tif 000004
【図３】
2004090399.tif 000005
【図４】
2004090399.tif 000006
【図５】
2004090399.tif 000007